(57)【要約】  【課題】ＢＡＬＤのスマイルによる記録光の太りの影響を受けず、焦点深度を低下させることなく、スマイルの大きな高出力ＢＡＬＤの利用を可能とし、高速記録、生産性の向上を図る。  【解決手段】副走査方向に複数の発光点が離散的に配列されたブロードエリアアレイ型レーザダイオード光源のニアフィールドパターンを空間光変調素子上に結像し、さらに、その像を記録媒体上に結像するとともに、前記離散的に配列された複数の発光点に対し飛び越し走査を行い、全ての主走査方向のラインを隙間なく走査することにより前記課題を解決する。【選択図】図５
2005153254.tif 000002
【特許請求の範囲】
【請求項１】
副走査方向に複数の発光点が離散的に配列されたブロードエリアアレイ型レーザダイオード光源から出力された光を画像信号に応じて空間光変調素子で変調した光で、記録媒体を主走査して画像を記録する画像記録方法であって、
前記ブロードエリアアレイ型レーザダイオード光源のニアフィールドパターンを前記空間光変調素子上に結像し、さらに、その像を前記記録媒体上に結像するとともに、
前記離散的に配列された複数の発光点に対し飛び越し走査を行い、全ての主走査方向のラインを隙間なく走査することを特徴とする画像記録方法。
【請求項２】
前記主走査における前記空間光変調素子の各画素により記録される記録ドットが目標とする位置に記録されるように、前記主走査における前記空間光変調素子の各画素の記録タイミングを、前記レーザダイオードの各チャンネルごとに、または、各画素ごとに制御するようにした請求項１に記載の画像記録方法。
【請求項３】
副走査方向に複数の発光点が離散的に配列されたブロードエリアアレイ型レーザダイオード光源と、空間光変調素子を有し、前記ブロードエリアアレイ型レーザダイオード光源から出力された光を画像信号に応じて前記空間光変調素子で変調した光で、記録媒体を主走査して画像を記録する画像記録装置であって、
前記ブロードエリアアレイ型レーザダイオード光源のニアフィールドパターンを前記空間光変調素子上に結像させ、さらに、その像を前記記録媒体上に結像させる光学系と、
前記離散的に配列された複数の発光点に対し、飛び越し走査を行う手段とを有し、
前記ニアフィールドパターンを前記記録媒体上に結像するとともに、前記離散的に配列された複数のレーザダイオードに対し飛び越し走査を行い、
全ての主走査方向のラインを隙間なく走査することを特徴とする画像記録装置。
【請求項４】
請求項３に記載の画像記録装置であって、さらに、前記主走査における前記空間光変調素子の各画素の記録タイミングを、前記レーザダイオードの各チャンネルごとに、または、各画素ごとに制御する記録タイミング制御手段を有し、前記主走査における前記空間光変調素子の各画素により記録される記録ドットが目標とする位置に記録されるようにしたことを特徴とする画像記録装置。
【発明の詳細な説明】
【技術分野】
【０００１】
本発明は、画像記録方法及び装置に係り、特に、照明光源としてブロードエリアアレイ型の半導体レーザと空間光変調素子を用いた露光技術に関する。
【背景技術】
【０００２】
従来、半導体レーザ等の光源から出力される光ビームを集光光学系によって集光し、回転するドラムの外周面に保持された記録媒体上に画像を記録する画像記録装置が知られている。
このとき、光源として、高い光出力強度を得られるブロードエリアアレイ型の半導体レーザが好適に用いられている。
【０００３】
例えば、図６及び図７に、従来の、照明光源としてブロードエリアアレイ型の半導体レーザ（ＢＡＬＤ；Broad area Array Laser Diode）を用い、また空間光変調素子（ＳＬＭ；Spatial Light Modulator）を用いた、アウタードラム露光装置の結像光学系の概略を示す。図６は、平面図であり、図７は、側面図である。
図６、図７において、アウタードラム露光装置９０は、ブロードエリアアレイ型半導体レーザ（以下、ＢＡＬＤという）９１、シリンドリカルレンズ９２、レンズ９３、空間光変調素子（以下、ＳＬＭという）９４、第一の結像レンズ９５、第二の結像レンズ９６及びその外周面に記録媒体９８を保持したドラム９７から構成されている。
【０００４】
図６に示すように、ドラム９７の軸に平行な副走査方向において、この従来のアウタードラム露光装置９０の照明方式は、ＢＡＬＤ９１のファーフィールドパターン（以下、ＦＦＰという）をＳＬＭ９４上に照明する方式である。
すなわち、ＢＡＬＤ９１から出力された光ビームは、シリンドリカルレンズ９２及びレンズ９３によって、そのＦＦＰがＳＬＭ９４上に結像される。このとき、ＢＡＬＤ９１の離散的に配列された各発光点から出力される各光ビーム（図６では、３つの光ビームが表わされている）は、ＳＬＭ９４上に矢印Ｗで示される範囲に重なって結像される。
【０００５】
このように、副走査方向において、ＦＦＰにより照明することによって、離散的に配列されたＢＡＬＤ９１の各発光点から出力された光ビームは、ＳＬＭ９４を隙間なく連続的に照明することができる。
ＳＬＭ９４上に結像されたＦＦＰは、ＳＬＭ９４によって画像信号に応じて変調され、第一及び第二結像レンズ９５、９６により、ドラム９７の外周面に保持された記録媒体９８上に結像され、これにより記録媒体９８上に画像が記録される。
【０００６】
一方、図７に示すように、ドラム９７の回転方向である主走査方向においては、ＢＡＬＤ９１の各発光点から出力された光ビームは、シリンドリカルレンズ９２により平行光とされ、レンズ９３によりＳＬＭ９４上に結像される。これにより、ＳＬＭ９４上にはＢＡＬＤ９１のニアフィールドパターン（以下、ＮＦＰという）が結像される。
従って、主走査方向については、ＳＬＭ９４上に結像されるＢＡＬＤ９１のＮＦＰがＳＬＭ９４により変調され、第一及び第二結像レンズ９５、９６により、記録媒体９８上に結像される。
【発明の開示】
【発明が解決しようとする課題】
【０００７】
しかしながら、ＢＡＬＤ９１は、図８（ａ）にその正面図を示すように複数の発光点９１ａを有しており、これが図８（ａ）に示したように一直線にならんでいればよいが、図８（ｂ）に示すように複数の発光点９１ａの並びが曲がっている場合がある。この発光点９１ａの点列の曲がりは、主に製造時等において発生するもので、通常スマイルと呼ばれている。ここでは、このスマイルによる発光点９１ａの中央部と端部における位置の誤差Δをスマイル曲がり量と呼ぶことにする。
【０００８】
前述のように、従来のＦＦＰを利用した露光記録方法では、副走査方向に広がった光ビームが図６に矢印Ｗで示すような範囲で重なって、足し合わされているため、ＢＡＬＤ９１が図８（ｂ）のようなスマイルを有していると、図７に示すように、ＳＬＭ９４上でｙ−ｚ平面内（主走査方向）で、前記スマイル曲がり量Δの分だけ記録光の太りが生じてしまう。
その結果、目標とする径の記録ビームを得ようとすると、記録ビームの収束角αs ⊥（あるいはＮＡ）が大きくなってしまう。
【０００９】
さらに、記録ビームの収束角αs ⊥が大きいということは、焦点深度が浅いことを意味し、シャープな記録行うためには、複雑なオートフォーカス（ＡＦ）機構等が必要となり、高速での記録に支障となるという問題がある。
また、従来の記録方法では前記スマイルにより記録ビームの線が太くなり、ＳＬＭ９４上のビーム径が太くなってしまうが、さらにスマイル曲がり量Δは、ＢＡＬＤ９１の出力が高くなるに従って大きくなるため、高出力のＢＡＬＤを応用する上での制限となり、記録高速化、生産性の向上にとって制約となってしまうという問題もあった。
【００１０】
本発明は、前記従来の問題に鑑みてなされたものであり、ＢＡＬＤのスマイルによる記録光の太りの影響を受けず、焦点深度を低下させることなく、スマイルの大きな高出力ＢＡＬＤの利用を可能とし、高速記録、生産性の向上を図ることのできる画像記録方法及び装置を提供することを課題とする。
【課題を解決するための手段】
【００１１】
前記課題を解決するために、本発明の第一の態様は、副走査方向に複数の発光点が離散的に配列されたブロードエリアアレイ型レーザダイオード光源から出力された光を画像信号に応じて空間光変調素子で変調した光で、記録媒体を主走査して画像を記録する画像記録方法であって、前記ブロードエリアアレイ型レーザダイオード光源のニアフィールドパターンを前記空間光変調素子上に結像し、さらに、その像を前記記録媒体上に結像するとともに、前記離散的に配列された複数の発光点に対し飛び越し走査を行い、全ての主走査方向のラインを隙間なく走査することを特徴とする画像記録方法を提供する。
【００１２】
また、前記主走査における前記空間光変調素子の各画素により記録される記録ドットが目標とする位置に記録されるように、前記主走査における前記空間光変調素子の各画素の記録タイミングを、前記レーザダイオードの各チャンネルごとに、または、各画素ごとに制御するようにしたことが好ましい。
【００１３】
また、同様に前記課題を解決するために、本発明の第二の態様は、副走査方向に複数の発光点が離散的に配列されたブロードエリアアレイ型レーザダイオード光源と、空間光変調素子を有し、前記ブロードエリアアレイ型レーザダイオード光源から出力された光を画像信号に応じて前記空間光変調素子で変調した光で、記録媒体を主走査して画像を記録する画像記録装置であって、前記ブロードエリアアレイ型レーザダイオード光源のニアフィールドパターンを前記空間光変調素子上に結像させ、さらに、その像を前記記録媒体上に結像させる光学系と、前記離散的に配列された複数の発光点に対し、飛び越し走査を行う手段とを有し、全ての主走査方向のラインを隙間なく走査することを特徴とする画像記録装置を提供する。
【００１４】
また、前記画像記録装置であって、さらに、前記主走査における前記空間光変調素子の各画素の記録タイミングを、前記レーザダイオードの各チャンネルごとに、または、各画素ごとに制御する記録タイミング制御手段を有し、前記主走査における前記複数のレーザダイオードの各チャンネルごとの前記記録媒体上の記録ドットが目標とする位置に記録されるようにしたことが好ましい。
【発明の効果】
【００１５】
本発明によれば、ＢＡＬＤのＮＦＰをＳＬＭ上に結像し、ＮＦＰを照明光として利用するようにしたため、ＢＡＬＤのスマイルの影響を受けずに、ＳＬＭ上でのビーム径の太りがなく、広い焦点深度が確保できるため、ＡＦ等の複雑な機構を必要とすることなく、高速で高品質の画像記録が可能となる。
また、スマイルの影響を受けないため、スマイルの大きな、高出力のＢＡＬＤを利用することができ、画像記録の高速化が可能となり、生産性の向上を図ることが可能となるという顕著な効果も得られる。
【発明を実施するための最良の形態】
【００１６】
以下、本発明の画像記録方法及び装置について、添付の図面に示される好適実施形態を基に詳細に説明する。
【００１７】
図１は、本発明に係る画像記録装置の一実施形態の概略構成を示す一部ブロックを含む概略構成図である。
本発明の画像記録装置は、照明光源として前述のＢＡＬＤを用い、ＢＡＬＤから出力された光を画像信号に応じて空間光変調素子により変調するものであり、特に、ＢＡＬＤのスマイルの影響を除去して、画像記録を行うものである。
【００１８】
図１に示すように、本実施形態の画像記録装置１は、露光ヘッド１０から出力されたレーザビームをドラム１２の外周面に装着された記録媒体Ａに照射することにより画像を記録するようにしたものである。
このとき、ドラム１２が矢印Ｘ方向（主走査方向）に回転し、露光ヘッド１０が矢印Ｙ方向（副走査方向）に移動することで、記録媒体Ａには２次元的に画像が記録される。
【００１９】
露光ヘッド１０は、副走査方向に広がった発光点（光源）を、副走査方向に複数個、離散的に配列したブロードな発光エリアを有する光源（ＢＡＬＤ）１６と、このＢＡＬＤ１６から出力されたレーザビームを前述のＳＬＭ２２を介して記録媒体Ａに結像する結像光学系１４とを備えている。
結像光学系１４は、ＢＡＬＤ１６側からドラム１２側に向かって、コリメータレンズ１８、コリメータレンズ２０、ＳＬＭ２２、第１結像レンズ２４及び第２結像レンズ２６がこの順に配列されて構成されている。
【００２０】
また、本実施形態の画像記録装置１は、この他に、詳しくは後述するが、ＳＬＭ２２を制御して、主走査時における各画素ごとの記録タイミングを制御する記録タイミング制御手段２８、及び、飛び越し走査（インターレース走査）を行うために露光ヘッド１０を制御する飛び越し走査手段（副走査手段）３０を有している。
【００２１】
この結像光学系１４の構成の平面図を図２に、また、側面図を図３に示す。
コリメータレンズ１８及び２０は、ＢＡＬＤ１６のニアフィールドパターン（ＮＦＰ）をＳＬＭ２２上に結像させるためのものであり、ＳＬＭ２２は、ＮＦＰの結像位置に配置されている。
ＳＬＭ２２は、空間光変調素子であり、特に限定はされず、液晶タイプでもよいし、ＧＬＶ（グレイティング・ライト・バルブ）でも、ピエゾ素子を用いたタイプでもよく、任意の１次元変調素子が好適に利用可能である。
【００２２】
本実施形態は、このようにＳＬＭ２２上にＢＡＬＤ１６のＮＦＰを結像することにより、このＮＦＰを利用して記録媒体Ａ上に画像を記録することで、ＢＡＬＤ１６のスマイルの影響を除去するようにしたものである。
すなわち、ＢＡＬＤ１６のＮＦＰをＳＬＭ２２の照明光として利用することで、ＳＬＭ２２上には、ＢＡＬＤ１６のそれぞれ複数画素からなる複数の発光点列がそのまま結像されるため、ＢＡＬＤ１６のスマイルの影響を受けず、ビーム径の太りは生じない。
【００２３】
ＳＬＭ２２で変調されたレーザビームは、第１結像レンズ２４及び第２結像レンズ２６により、記録媒体Ａ上に結像される。
このとき、上に述べたように、記録媒体Ａ上に記録される記録光はＢＡＬＤ１６のスマイルの影響を受けずビーム径の太りは生じないが、記録光に前記スマイルにより曲がりがそのまま残ることとなる。
【００２４】
そこで、この記録光に残ったスマイル曲がりを補償して前記主走査における前記複数のレーザダイオードの各チャンネルごとまたは各画素ごとの前記記録媒体上の記録ドットが目標とする位置に記録されるように、前記主走査における前記空間光変調素子の各画素の記録タイミングを、前記レーザダイオードの各チャンネルごとに、または、各画素ごとに制御するために、設けられたのが記録タイミング制御手段２８である。記録タイミング制御手段２８は、ＳＬＭ２２を制御して、主走査時におけるＢＡＬＤ１６の各チャンネルから出力される複数のレーザビームの記録タイミングを制御することにより、スマイルの曲がりを補償して、記録媒体Ａ上の記録ドットが目標とする位置に記録されるようにするものである。
【００２５】
また、ＢＡＬＤ１６は、複数の発光点を副走査方向に離散的に配列したブロードな発光エリアを有する光源であり、この発光点列がそのまま記録媒体Ａ上に記録されると、各発光点の像の間に隙間が空いてしまうため、これを埋める必要がある。そのために設けられたのが飛び越し走査（インターレース走査）手段３０である。これは、詳しくは後述するが、ＳＬＭ２２上で複数の画素からなる発光点の像（群のレーザビーム列）に対して飛び越し走査（インターレース走査）を行うことにより、主走査方向の全ての走査線を露光することを可能にするものであり、これを群インターレースと呼ぶことにする。
【００２６】
以下、本実施形態の作用を説明する。
ＢＡＬＤ１６の（それぞれが複数画素からなる）各発光点から出力されたレーザビーム（例えば図２では３本表示されている。）は、コリメータレンズ１８により、副走査方向に平行な方向（ｘ−ｚ平面方向）にも絞られて平行光とされ、集光レンズ２０に入射される。そして、集光レンズ２０により、ＢＡＬＤ１６のＮＦＰが、ＳＬＭ２２上に結像される。
【００２７】
第１のコリメータレンズ１８の焦点距離をｆCL1 、第２のコリメータレンズ２０の焦点距離をｆCL2 とすると、これらのコリメータレンズ系による倍率βCLは、βCL ＝ｆCL2 ／ｆCL1 となる。ＢＡＬＤ１６の各発光点の主走査方向のビーム径をｄLD ⊥、副走査方向のビーム径をｄLD ‖とすると、ＳＬＭ２２上の主走査方向及び副走査方向のビーム径ｄs ⊥、ｄs ‖は、それぞれｄs ⊥＝βCL・ｄLD ⊥、及びｄs ‖＝βCL・ｄLD ‖となる。
【００２８】
すなわち、ＳＬＭ２２上では、副走査方向には、ｄs ‖のビーム径（照明光の広がり）がＳＬＭの画素単位で変調を受けるので、副走査方向の径としてはＳＬＭの画素ピッチにほぼ等しくなる。
【００２９】
ＳＬＭ２２は、画像信号に応じてレーザビームを変調する。ＳＬＭ２２によって変調されたレーザビームは、第１結像レンズ２４及び第２結像レンズ２６により、ドラム１２の外周面に装着された記録媒体Ａ上に結像され、記録媒体Ａ上に画像を記録する。
このとき、第１結像レンズ２４の焦点距離をｆFL1 とし、第２結像レンズ２６の焦点距離をｆFL2 とすると、この２つによる結像レンズ系の倍率βFL は、βFL ＝ｆFL2 ／ｆFL1 となる。
【００３０】
前述のように、本実施形態においては、副走査方向の径のみが、ビーム径ではなく、ＳＬＭの画素サイズで決まる。
従って、記録媒体Ａに結像される記録ビームの主走査方向のビーム径ｄg ⊥は、ｄg ⊥＝βFL・ｄs ⊥となり、副走査方向のビーム径ｄg ‖＝ｄSLM ×βFL となる。ここで、ｄSLM はＳＬＭの画素サイズである。
【００３１】
例えば、ＢＡＬＤ１６の各発光点のビーム径ｄLD ⊥＝１μｍ、ｄLD ‖＝１００μｍ、照明系の倍率βill ＝１０とすると、ＳＬＭ２２上のビーム径は、ｄs ⊥＝βill・ｄLD ⊥＝１０×１＝１０μｍ、及びｄs ‖＝βill・ｄLD ＝１０×１００＝１０００μｍとなる。
また、記録ビーム径は、ｄSLM ＝５０μｍ、結像レンズ径の倍率βFL ＝１／５とすると、ｄg ⊥＝βFL・ｄs ⊥＝（１／５）×１０＝２μｍ、及びｄg ‖＝βFL・ｄSLM ＝（１／５）×５０＝１０μｍとなる。
【００３２】
また、このとき、ＢＡＬＤ１６から出力されるレーザビームの放射角（半角）θを副走査方向θ‖、主走査方向θ⊥に分けて、副走査方向θ‖＝５deg 、主走査方向θ⊥＝１７deg とすると、ＳＬＭ２２に入射するビーム収束角αs については、βill ＝１０より、主走査方向αs ⊥＝１．７deg 、副走査方向αs ‖＝０．５deg となる。
また、記録媒体Ａを照射する際のビーム収束角αg は、副走査方向αg ‖＝２．５deg 、主走査方向αg ⊥＝８．５deg となる。
これは、収束角をＮＡに換算すると、副走査方向については、ＮＡ‖＝０．０４、主走査方向については、ＮＡ⊥＝０．１５に相当する。
【００３３】
これらの値を、従来の場合と比較するために、従来について見てみると、図７において、ＢＡＬＤ９０から出力されるレーザビームの主走査方向のビーム径ｄLD ⊥＝１μｍ、スマイル曲がり量Δ＝４μｍ、照明系の倍率βCL ＝２より、ＳＬＭ９３に入射する主走査方向のビーム径はｄs ⊥＝βCL・（ｄLD ⊥＋Δ）＝２×（１＋４）＝１０μｍであり、また結像レンズ系の倍率βFL ＝１／５より、主走査方向の記録ビーム径ｄg ⊥＝βFL・ｄs ⊥＝（１／５）×１０＝２μｍとなる。
【００３４】
このとき、ＢＡＬＤ９０から出力されるレーザビームの放射角（半角）は、副走査方向については、θ‖＝５deg 、主走査方向については、θ⊥＝１７deg であり、ＳＬＭ９３に入射するレーザビームの収束角αs は、副走査方向についてはαs ‖＝２０deg となる。また、記録ビームにおける収束角は、副走査方向についてはαg ‖＝１０deg 、主走査方向についてはαg ⊥＝４２．５deg となる。これらの収束角をＮＡに換算すると、それぞれ副走査方向についてはＮＡ‖＝０．１７、主走査方向についてはＮＡ⊥＝０．６８となる。
【００３５】
従って、上に述べた本実施形態と比較すると、ＮＡについて、副走査方向は本実施形態がＮＡ‖＝０．０４であるのに対し、従来はＮＡ‖＝０．１７であり、また、主走査方向については、本実施形態がＮＡ⊥＝０．１５であるのに対して、従来はＮＡ⊥＝０．６８である。
このように、副走査方向及び主走査方向いずれについても、本実施形態においては、従来と同じ大きさの記録画像（例えば、記録ビーム径ｄg ⊥＝２μｍ、及びαg ‖＝１０μｍ）を記録媒体Ａ上に記録するための記録ビームのＮＡを、従来よりも略１／４程度まで小さくすることができる。
その結果、本実施形態では、従来よりも焦点深度を深くすることができる。
【００３６】
このように、本実施形態によれば記録ビームの収束角が従来よりも小さくなり、ビーム径の太りは生じない。しかし、ＮＦＰを記録媒体Ａ上に結像しているため、ＢＡＬＤ１６のスマイルがそのまま記録媒体Ａ上に記録されることとなる。
【００３７】
例えば、簡単のため、ＢＡＬＤ１６は、各５つの画素を照明する発光点が５つ並んで構成されていたとする。
図４に、ＢＡＬＤ１６のこの５つの発光点の像がＳＬＭ２２上にできる様子を示す。ＳＬＭ２２は、細かくたくさんの画素２２ａで構成されており、各画素２２ａごとにそのオンオフが制御される。ＳＬＭ２２上に照射されたＢＡＬＤ１６の５つの各発光点の像２３ａ〜２３ｅは、それぞれ５つの画素から構成されている。図４に示すように、ＳＬＭ２２上には、ＢＡＬＤ１６のスマイルのため、各発光点の像２３ａ〜２３ｅが水平に一直線上には並ばずに下に凸となって曲がって配置されている。
【００３８】
そこで、ＳＬＭ２２の各画素２２ａのオンオフを記録タイミング制御手段２８により制御して、この像２３ａ〜２３ｅによる記録ドットが目標とする位置（例えば、水平に一直線上）に並ぶようにする。
例えば、まず、発光点の像２３ａと２３ｅによる記録を行うようにこれらの像２３ａ、２３ｅを受けるＳＬＭ２２の画素２２ａの部分をオンとし、他の画素２２ａの部分はまだオフとしておく。
次に、少し遅れて発光点の像２３ｂ及び２３ｄを受ける部分の画素２２ａをオンにし、最後に発光点の像２３ｃを受ける部分の画素２２ａをオンとするようにＳＬＭ２２を制御する。
【００３９】
このようにして、ＳＬＭ２２を制御して、記録タイミングを制御することにより、記録媒体Ａに記録される画像がきちんと目標とする位置（例えば、副走査方向に一直線上）に並ぶようにする。
なお、このとき、各発光点からの照明光による記録が同じ露光時間となるように露光時間も制御するものとする。
【００４０】
また、このようにして記録画像のスマイルの曲がりを補償することができるが、これではまだ、図４からもわかるように、各発光点の像の間に隙間があるため主走査方向の全ての走査線を隙間なく露光する必要がある。
そこで、これらの各発光点から出力される群のレーザビーム列（図４の例では５つの群のビーム列）に対して、以下説明するように、飛び越し走査（インターレース走査）を行う。
【００４１】
図５に、飛び越し走査（インターレース走査）の方法を示す。
図５において、２５ａ〜２５ｅは、ＢＡＬＤ１６の各発光点（この場合５つ）に対応する記録画素を表している。また、矢印Ｙは副走査方向を表している。
なお、図５は、インターレース走査の説明のための図であり、記録画素２５ａ〜２５ｅがスマイルの曲がりに合わせて曲がっているが、上に説明したように記録タイミングの制御を行えば、これらの記録画素２５ａ〜２５ｅによる記録媒体Ａ上の記録画素を目標とする位置（例えば、水平に直線的）に並べることができる。
【００４２】
インターレース走査は、例えば、次のようにして行う。
図５に示すように、１回目の主走査に続く２回目の主走査においては、１回目の主走査で記録された記録画素２５ｃと２５ｄの間に２回目の主走査における記録画素２５ａが入り、１回目の記録画素２５ｄと２５ｅの間に２回目の記録画素２５ｂが入るようにして、画像記録を行う。
【００４３】
このとき、３回目の主走査においては、上と同様に、２回目の記録画素２５ｃと２５ｄの間に３回目の記録画素２５ａが入り、２回目の記録画素２５ｄと２５ｅの間に３回目の記録画素２５ｂが入るようにして画像記録を行う。
以下、同様にして副走査方向に露光ヘッド１０を移動しながら主走査して画像記録を行えば、主走査方向の全ての走査線について隙間なく記録を行うことができる。
【００４４】
なお、上記実施形態に示したのは、一例であり、ＢＡＬＤ１６の各発光点の画素数や各発光点の数、あるいは各発光点間の距離等に応じて、それに好適なインターレース走査方法を採用すればよい。
例えば、特開昭６３−２１７７６３号公報、特開平２−３００６号公報、特開平２−１５４２１９号公報あるいは特開平２−２７５４０８号公報等に記載された公知のインターレース走査方法を適用することができる。
【００４５】
本実施形態によれば、ＢＡＬＤのＮＦＰをＳＬＭ上に結像し、ＮＦＰを照明光として利用するようにしたため、ＢＡＬＤのスマイルの影響を受けずに、ＳＬＭ上でのビーム径の太りがなく、広い焦点深度が確保できるため、ＡＦ等の複雑な機構を必要とすることなく、高速で高品質の画像記録が可能となる。
また、スマイルの影響を受けないため、スマイルの大きな、高出力のＢＡＬＤを利用することができ、画像記録の高速化が可能となり、生産性の向上を図ることが可能となる。
【００４６】
以上、本発明の画像記録方法及び装置について、詳細に説明したが、本発明は、以上の実施形態に限定されるものではなく、本発明の要旨を逸脱しない範囲において、各種の改良や変更を行ってもよいのはもちろんである。
【図面の簡単な説明】
【００４７】
【図１】本発明に係る画像記録装置の一実施形態の概略構成を示す一部ブロックを含む概略構成図である。
【図２】本実施形態の画像記録装置の結像光学系の構成を示す平面図である。
【図３】同じく本実施形態の画像記録装置の結像光学系の構成を示す側面図である。
【図４】本実施形態において、スマイル曲がりを補償するために記録タイミングを制御する様子を示す説明図である。
【図５】本実施形態におけるインターレース走査の様子を示す説明図である。
【図６】従来の結像光学系の概略構成を示す平面図である。
【図７】同じく従来の結像光学系の概略構成を示す側面図である。
【図８】（ａ）、（ｂ）はＢＡＬＤの発光点列のスマイル曲がりの様子を示す正面図である。
【符号の説明】
【００４８】
Ａ  記録媒体
１  画像記録装置
１０  露光ヘッド
１２  ドラム
１４  結像光学系
１６  ブロードエリアアレイ型レーザダイオード光源（ＢＡＬＤ）
１８  第１コリメータレンズ
２０  第２コリメータレンズ
２２  空間光変調素子
２３ａ〜２３ｅ  発光点の像
２４  第１結像レンズ
２５ａ〜２５ｅ  記録画素
２６  第２結像レンズ
２８  記録タイミング制御手段
３０  飛び越し走査手段（インターレース走査手段）
【図１】
2005153254.tif 000003
【図２】
2005153254.tif 000004
【図３】
2005153254.tif 000005
【図４】
2005153254.tif 000006
【図５】
2005153254.tif 000007
【図６】
2005153254.tif 000008
【図７】
2005153254.tif 000009
【図８】
2005153254.tif 000010